(57)【特許請求の範囲】
【請求項１】
サウンディング参照シンボル送信方法であって、前記方法は、
無線リモートユニットにより、アンテナアレイの各アンテナを用いて、第１周期中に、複数のサンプリングデータ片を受信するステップと、
前記無線リモートユニットにより、前記複数のサンプリングデータ片の全部がサウンディング参照シンボル、ＳＲＳ、サンプリングデータであるか否かを識別するステップと、
前記複数のサンプリングデータ片の全部が前記ＳＲＳサンプリングデータである場合、前記無線リモートユニットにより、前記複数のサンプリングデータ片をバッファにバッファリングするステップと、
前記無線リモートユニットにより、第２周期中に、前記バッファから前記複数のサンプリングデータ片を読み出し、前記読み出した複数のサンプリングデータ片をベースバンド処理ユニットへ送信するステップであって、前記第２周期の期間は前記第１周期の期間より長い、ステップと、
を含む方法。
【請求項２】
無線リモートユニットにより、アンテナアレイの各アンテナを用いて、第１周期中に、複数のサンプリングデータ片を受信する前記ステップの前に、前記方法は、
前記無線リモートユニットにより、前記ベースバンド処理ユニットにより送信され且つＳＲＳサンプリングデータを識別するために使用される識別情報を受信するステップであって、前記識別情報は、受信時点及び時間長を含む、ステップ、を更に含み、
前記無線リモートユニットにより、前記複数のサンプリングデータ片の全部がサウンディング参照シンボルＳＲＳサンプリングデータであるか否かを識別する前記ステップは、
前記無線リモートユニットにより、前記複数のサンプリングデータ片の各々の受信時間が前記受信時点より後であるか否か、及び各サンプリングデータ片の前記受信時間と前記受信時点との間の時間間隔が前記時間長より短いか否かを検出するステップと、
各サンプリングデータ片の前記受信時間が前記受信時点より後であり、且つ各サンプリングデータ片の前記受信時間と前記受信時点との間の前記時間間隔が前記時間長より短い場合、前記無線リモートユニットにより、前記複数のサンプリングデータ片の全部が前記ＳＲＳサンプリングデータであると決定するステップと、
を含む、請求項１に記載の方法。
【請求項３】
前記ベースバンド処理ユニットによるＳＲＳサンプリングデータの処理レートは、前記無線リモートユニットによるＳＲＳサンプリングデータの受信レートより小さく、前記無線リモートユニットによる前記ベースバンド処理ユニットへの、前記バッファから読み出された前記ＳＲＳサンプリングデータの送信レートは、前記ベースバンド処理ユニットによるＳＲＳサンプリングデータの前記処理レート以下である、請求項１に記載の方法。
【請求項４】
前記無線リモートユニットにより、前記複数のサンプリングデータ片をバッファにバッファリングする前記ステップは、
複数のサンプリングデータグループを得るために、前記無線リモートユニットにより、前記複数のサンプリングデータ片をグループ化するステップと、
前記サンプリングデータグループに対応する圧縮サンプリングデータを得るために、前記サンプリングデータグループの各々について、前記無線リモートユニットにより、前記サンプリングデータグループに含まれるサンプリングデータを圧縮するステップと、
前記無線リモートユニットにより、前記サンプリングデータグループの各々に対応する前記圧縮サンプリングデータを前記バッファにバッファリングするステップと、
前記無線リモートユニットにより、第２周期中に、前記バッファから前記複数のサンプリングデータ片を読み出し、前記読み出した複数のサンプリングデータ片をベースバンド処理ユニットへ送信する前記ステップは、
前記無線リモートユニットにより、前記バッファから、前記第２周期中に、前記サンプリングデータグループの各々に対応する前記圧縮サンプリングデータを読み出し、前記サンプリングデータグループの各々に対応する前記読み出した圧縮サンプリングデータを前記ベースバンド処理ユニットへ送信するステップを含む、請求項１乃至３のいずれか一項に記載の方法。
【請求項５】
前記無線リモートユニットにより、第２周期中に、前記バッファから前記複数のサンプリングデータ片を読み出し、前記読み出した複数のサンプリングデータ片をベースバンド処理ユニットへ送信する前記ステップは、
前記無線リモートユニットにより、ダウンリンクタイムスロットで、前記第２周期中に、前記バッファから前記複数のサンプリングデータ片を読み出し、前記読み出した複数のサンプリングデータ片を前記ベースバンド処理ユニットへ送信するステップを含む、請求項１乃至３のいずれか一項に記載の方法。
【請求項６】
無線リモートユニットであって、前記無線リモートユニットは、
アンテナアレイの各アンテナを用いて、第１周期中に、複数のサンプリングデータ片を受信するよう構成される受信モジュールと、
前記複数のサンプリングデータ片の全部がサウンディング参照シンボル、ＳＲＳ、サンプリングデータであるか否かを識別するよう構成される識別モジュールと、
前記識別モジュールが、前記複数のサンプリングデータ片の全部が前記ＳＲＳサンプリングデータであると識別すると、前記複数のサンプリングデータ片をバッファにバッファリングするよう構成されるバッファリングモジュールと、
第２周期中に、前記バッファから前記複数のサンプリングデータ片を読み出し、前記読み出した複数のサンプリングデータ片をベースバンド処理ユニットへ送信するよう構成される送信モジュールであって、前記第２周期の期間は前記第１周期の期間より長い、送信モジュールと、
を含む無線リモートユニット。
【請求項７】
前記受信モジュールは、前記受信モジュールが前記アンテナアレイの各アンテナを用いて、前記第１周期中に、前記複数のサンプリングデータ片を受信する前に、前記ベースバンド処理ユニットにより送信され且つＳＲＳサンプリングデータを識別するために使用される識別情報を受信するよう更に構成され、前記識別情報は、受信時点及び時間長を含み、
前記識別モジュールは、
前記複数のサンプリングデータ片の各々の受信時間が前記受信時点より後であるか否か、及び各サンプリングデータ片の前記受信時間と前記受信時点との間の時間間隔が前記時間長より短いか否かを検出するよう構成される検出ユニットと、
前記検出ユニットが、各サンプリングデータ片の前記受信時間が前記受信時点より後であり、且つ各サンプリングデータ片の前記受信時間と前記受信時点との間の前記時間間隔が前記時間長より短いと決定すると、前記複数のサンプリングデータ片の全部が前記ＳＲＳサンプリングデータであると決定するよう構成される決定ユニットと、
を含む、請求項６に記載の無線リモートユニット。
【請求項８】
前記ベースバンド処理ユニットによるＳＲＳサンプリングデータの処理レートは、前記受信モジュールによるＳＲＳサンプリングデータの受信レートより小さく、前記送信モジュールによる前記ベースバンド処理ユニットへの、前記バッファから読み出された前記ＳＲＳサンプリングデータの送信レートは、前記ベースバンド処理ユニットによるＳＲＳサンプリングデータの前記処理レート以下である、請求項６に記載の無線リモートユニット。
【請求項９】
前記バッファリングモジュールは、
複数のサンプリングデータグループを得るために、前記複数のサンプリングデータ片をグループ化するよう構成されるグループ化ユニットと、
前記サンプリングデータグループに対応する圧縮サンプリングデータを得るために、前記サンプリングデータグループに含まれるサンプリングデータを圧縮するよう構成される圧縮ユニットと、
前記サンプリングデータグループの各々に対応する前記圧縮サンプリングデータを前記バッファにバッファリングするよう構成されるバッファリングユニットと、
を含み、
前記送信モジュールは、具体的に、
前記バッファから前記第２周期中に、前記サンプリングデータグループの各々に対応する前記圧縮サンプリングデータを読み出し、前記サンプリングデータグループの各々に対応する前記読み出した圧縮サンプリングデータを前記ベースバンド処理ユニットへ送信するよう構成される、請求項６乃至８のいずれか一項に記載の無線リモートユニット。
【請求項１０】
前記送信モジュールは、具体的に、
ダウンリンクタイムスロットで、前記バッファから前記第２周期中に、前記複数のサンプリングデータ片を読み出し、前記読み出した複数のサンプリングデータ片を前記ベースバンド処理ユニットへ送信するよう構成される、請求項６乃至８のいずれか一項に記載の無線リモートユニット。
【請求項１１】
基地局であって、前記基地局は、アンテナアレイ、ベースバンド処理ユニット、及び請求項６乃至１０のいずれか一項に記載の無線リモートユニットを含み、前記アンテナアレイは前記無線リモートユニットに接続され、前記無線リモートユニットは前記ベースバンド処理ユニットに接続される、基地局。
【請求項１２】
サウンディング参照シンボル送信方法であって、前記方法は、
無線リモートユニットにより、第２周期中に、バッファから、複数のサンプリングデータ片を読み出すステップと、
前記無線リモートユニットにより、前記読み出した複数のサンプリングデータ片をベースバンド処理ユニットへ送信するステップと、
を含み、
前記複数のサンプリングデータ片の全部は、サウンディング参照シンボル（ＳＲＳ）サンプリングデータであり、アンテナアレイの各アンテナを用いて第１周期中に受信され、前記第２周期の期間は前記第１周期の期間より長い、方法。
【請求項１３】
前記方法は、
前記ベースバンド処理ユニットにより送信され且つＳＲＳサンプリングデータを識別するために使用される識別情報を受信するステップであって、前記識別情報は受信時点と時間長とを含む、ステップ、を更に含む請求項１２に記載の方法。
【請求項１４】
各サンプリングデータ片の受信時間が前記受信時点より後であり、且つ各サンプリングデータ片の前記受信時間と前記受信時点との間の時間間隔が前記時間長より短い場合、前記複数のサンプリングデータ片の全部は前記ＳＲＳサンプリングデータである、請求項１３に記載の方法。
【請求項１５】
前記読み出した複数のサンプリングデータ片は、前記複数のサンプリングデータ片の各グループに対応する圧縮サンプリングデータである、請求項１２乃至１４のいずれか一項に記載の方法。
【請求項１６】
前記第２周期はダウンリンクタイムスロットである、請求項１２乃至１５のいずれか一項に記載の方法。
【請求項１７】
前記ベースバンド処理ユニットによるＳＲＳサンプリングデータの処理レートは、前記無線リモートユニットによるＳＲＳサンプリングデータの受信レートより小さく、前記無線リモートユニットによる前記ベースバンド処理ユニットへの、前記読み出されたＳＲＳサンプリングデータの送信レートは、前記ベースバンド処理ユニットによるＳＲＳサンプリングデータの前記処理レート以下である、請求項１２乃至１６のいずれか一項に記載の方法。
【請求項１８】
コンピュータに請求項１乃至５及び１２乃至１７のいずれかに記載の方法を実行させるプログラム。
【請求項１９】
基地局であって、前記基地局は、アンテナアレイ、ベースバンド処理ユニット、及び無線リモートユニットを含み、前記アンテナアレイは前記無線リモートユニットに接続され、前記無線リモートユニットは前記ベースバンド処理ユニットに接続され、
第２周期中に、バッファから、複数のサンプリングデータ片を読み出し、
前記読み出した複数のサンプリングデータ片を前記ベースバンド処理ユニットへ送信する、
よう構成され、
前記複数のサンプリングデータ片の全部は、サウンディング参照シンボル（ＳＲＳ）サンプリングデータであり、前記アンテナアレイの各アンテナを用いて第１周期中に受信され、前記第２周期の期間は前記第１周期の期間より長い、基地局。
【請求項２０】
前記無線リモートユニットは、前記ベースバンド処理ユニットにより送信され且つＳＲＳサンプリングデータを識別するために使用される識別情報を受信するよう更に構成され、前記識別情報は受信時点と時間長とを含む、請求項１９に記載の基地局。
【請求項２１】
各サンプリングデータ片の受信時間が前記受信時点より後であり、且つ各サンプリングデータ片の前記受信時間と前記受信時点との間の時間間隔が前記時間長より短い場合、前記複数のサンプリングデータ片の全部は前記ＳＲＳサンプリングデータである、請求項２０に記載の基地局。
【請求項２２】
前記読み出した複数のサンプリングデータ片は、前記複数のサンプリングデータ片の各グループに対応する圧縮サンプリングデータである、請求項１９乃至２１のいずれか一項に記載の基地局。
【請求項２３】
前記第２周期はダウンリンクタイムスロットである、請求項１９乃至２２のいずれか一項に記載の基地局。
【請求項２４】
前記ベースバンド処理ユニットによるＳＲＳサンプリングデータの処理レートは、前記無線リモートユニットによるＳＲＳサンプリングデータの受信レートより小さく、前記無線リモートユニットによる前記ベースバンド処理ユニットへの、前記読み出されたＳＲＳサンプリングデータの送信レートは、前記ベースバンド処理ユニットによるＳＲＳサンプリングデータの前記処理レート以下である、請求項１９乃至２３のいずれか一項に記載の基地局。
【発明の詳細な説明】
【技術分野】
【０００１】
本発明の実施形態は、情報通信技術の分野に関し、具体的にはサウンディング参照シンボル送信方法及び無線リモートユニットに関する。
【背景技術】
【０００２】
サウンディング参照シンボル（ｓｏｕｎｄｉｎｇ  ｒｅｆｅｒｅｎｃｅ  ｓｙｍｂｏｌ、ＳＲＳ）は、ユーザ端末により基地局へ送信され且つユーザ端末と基地局との間のチャネルの状態を検出するために使用されるシンボルである。通常、ＳＲＳはアップリンクサブフレームの最後のシンボルである。アップリンクサブフレームは、複数のシンボルを含み、１つのシンボルが複数のサンプリングデータ片を含む。ＢＢＵ−ＲＲＵ（ｂａｓｅ  ｂａｎｄ  ｕｎｉｔ−ｒａｄｉｏ  ｒｅｍｏｔｅ  ｕｎｉｔ、ベースバンド処理ユニット−無線リモートユニット）の分散型基地局アーキテクチャでは、ＲＲＵは、大規模アンテナアレイを用いて、ユーザ端末により送信されたＳＲＳサンプリングデータを受信し、光ファイバを用いて、ＳＲＳサンプリングデータをＢＢＵへ処理のために送信する。
【０００３】
実際には、ＲＲＵは通常、大規模アンテナアレイを用いて膨大なＳＲＳサンプリングデータを受信することが分かる。例えば、大規模アンテナアレイが２５６個のアンテナを含むとき、ＲＲＵは、大規模アンテナアレイを用いて、並列に、ユーザ端末により送信された２５６個のＳＲＳサンプリングデータ片を受信する。実際の用途では、無線リモートユニットは、並列に受信された膨大なＳＲＳサンプリングデータを、処理のためにＢＢＵへ同時に送信する必要がある。したがって、無線リモートユニットによりＳＲＳサンプリングデータを送信するために過剰に高い帯域幅が要求され、比較的高い要件がネットワーク配備に課される。
【発明の概要】
【０００４】
本発明の実施形態は、ＳＲＳサンプリングデータを送信するために必要な帯域幅が削減でき、それによりネットワーク配備要件を低下させることを助けるように、サウンディング参照シンボル送信方法及び無線リモートユニットを開示する。
【０００５】
本発明の実施形態の第１の態様は、サウンディング参照シンボル送信方法を開示する。当該方法は、無線リモートユニットにより、アンテナアレイの各アンテナを用いて、第１周期中に、複数のサンプリングデータ片を受信するステップと、前記無線リモートユニットにより、前記複数のサンプリングデータ片の全部がサウンディング参照シンボルＳＲＳサンプリングデータであるか否かを識別するステップと、前記複数のサンプリングデータ片の全部がＳＲＳサンプリングデータである場合、前記無線リモートユニットにより、前記複数のサンプリングデータ片をバッファにバッファリングするステップと、前記無線リモートユニットにより、第２周期中に前記バッファから前記複数のサンプリングデータ片を読み出し、前記読み出した複数のサンプリングデータ片をベースバンド処理ユニットへ送信するステップであって、前記第２周期の期間は前記第１周期の期間より長い、ステップと、を含む。このように、ＳＲＳサンプリングデータを送信するために必要な帯域幅が削減でき、複数のＳＲＳサンプリングデータ片がバッファリングされ、ＳＲＳサンプリングデータを送信するための時間が延長される。それにより、ネットワーク配備要件を低減することを助ける。
【０００６】
本発明の実施形態の第１の態様の第１の可能な実装では、無線リモートユニットにより、アンテナアレイの各アンテナを用いて、第１周期中に、複数のサンプリングデータ片を受信する前記ステップの前に、前記方法は、
前記無線リモートユニットにより、前記ベースバンド処理ユニットにより送信され且つＳＲＳサンプリングデータを識別するために使用される識別情報を受信するステップであって、前記識別情報は、受信時点及び時間長を含む、ステップ、を更に含み、
前記無線リモートユニットにより、前記複数のサンプリングデータ片の全部がサウンディング参照シンボルＳＲＳサンプリングデータであるか否かを識別する前記ステップは、
前記無線リモートユニットにより、前記複数のサンプリングデータ片の各々の受信時間が前記受信時点より後であるか否か、及び各サンプリングデータ片の前記受信時間と前記受信時点との間の時間間隔が前記時間長より短いか否かを検出するステップと、
各サンプリングデータ片の前記受信時間が前記受信時点より後であり、且つ各サンプリングデータ片の前記受信時間と前記受信時点との間の前記時間間隔が前記時間長より短い場合、前記無線リモートユニットにより、前記複数のサンプリングデータ片の全部が前記ＳＲＳサンプリングデータであると決定するステップと、を含む。このように、受信した複数のサンプリングデータ片の全部がＳＲＳサンプリングデータであるか否かが、正確に識別され得る。
【０００７】
本発明の実施形態の第１の態様の第２の可能な実装では、前記ベースバンド処理ユニットによるＳＲＳサンプリングデータの処理レートは、前記無線リモートユニットによるＳＲＳサンプリングデータの受信レートより小さく、前記無線リモートユニットによる前記ベースバンド処理ユニットへの、前記バッファから読み出された前記ＳＲＳサンプリングデータの送信レートは、前記ベースバンド処理ユニットによるＳＲＳサンプリングデータの前記処理レート以下である。このように、ベースバンド処理ユニットが時間内に処理できないＳＲＳサンプリングデータをバッファリングする必要がないよう、したがって、ベースバンド処理ユニットがバッファリソースを節約できるように、無線リモートユニットによるＳＲＳサンプリングデータのベースバンド処理ユニットへの送信レートは、ベースバンド処理ユニットによるＳＲＳサンプリングデータの処理レート以下である。
【０００８】
本発明の実施形態の第１の態様、第１の態様の第１の可能な実装、又は、第１の態様の第２の可能な実装を参照して、本発明の実施形態の第１の態様の第３の可能な実装では、前記無線リモートユニットにより、前記複数のサンプリングデータ片をバッファにバッファリングする前記ステップは、
複数のサンプリングデータグループを得るために、前記無線リモートユニットにより、前記複数のサンプリングデータ片をグループ化するステップと、
前記サンプリングデータグループに対応する圧縮サンプリングデータを得るために、前記サンプリングデータグループの各々について、前記無線リモートユニットにより、前記サンプリングデータグループに含まれるサンプリングデータを圧縮するステップと、
前記無線リモートユニットにより、前記サンプリングデータグループの各々に対応する前記圧縮サンプリングデータを前記バッファにバッファリングするステップと、
前記無線リモートユニットにより、第２周期中に、前記バッファから前記複数のサンプリングデータ片を読み出し、前記読み出した複数のサンプリングデータ片をベースバンド処理ユニットへ送信する前記ステップは、
前記無線リモートユニットにより、前記バッファから、前記第２周期中に、前記サンプリングデータグループの各々に対応する前記圧縮サンプリングデータを読み出し、前記サンプリングデータグループの各々に対応する前記読み出した圧縮サンプリングデータを前記ベースバンド処理ユニットへ送信するステップ、を含む。このように、受信した複数のサンプリングデータ片はグループ化され圧縮され、ベースバンド処理ユニットにより処理されるＳＲＳサンプリングデータの量は削減でき、ベースバンド処理ユニットによりＳＲＳサンプリングデータを処理することの複雑性は有意に低減される。追加で、ＳＲＳサンプリングデータのサイズは、ＳＲＳサンプリングデータを圧縮することにより縮小でき、それにより、ＳＲＳサンプリングデータを送信するための帯域幅を削減するのを助ける。追加で、無線リモートユニットは、全部の圧縮サンプリングデータを処理のためにベースバンド処理ユニットへ送信し、それにより、サンプリングデータの損失を低減するのを助ける。
【０００９】
本発明の実施形態の第１の態様、第１の態様の第１の可能な実装、又は、第１の態様の第２の可能な実装を参照して、本発明の実施形態の第１の態様の第４の可能な実装では、前記無線リモートユニットにより、第２周期中に、前記バッファから前記複数のサンプリングデータ片を読み出し、前記読み出した複数のサンプリングデータ片をベースバンド処理ユニットへ送信する前記ステップは、
前記無線リモートユニットにより、ダウンリンクタイムスロットで、第２周期中に、前記バッファから前記複数のサンプリングデータ片を読み出し、前記読み出した複数のサンプリングデータ片を前記ベースバンド処理ユニットへ送信するステップを含む。このように、バッファ内のＳＲＳサンプリングデータは、ダウンリンクタイムスロットでベースバンド処理ユニットへ送信され、光ファイバの浪費が低減でき、さらに、ＳＲＳサンプリングデータを送信するための時間が延長でき、それにより、ＳＲＳサンプリングデータを送信するために必要な帯域幅を削減する。
【００１０】
本発明の実施形態の第２の態様は、無線リモートユニットを開示する。無線リモートユニットは、
アンテナアレイの各アンテナを用いて、第１周期中に、複数のサンプリングデータ片を受信するよう構成される受信モジュールと、
前記複数のサンプリングデータ片の全部がサウンディング参照シンボルＳＲＳサンプリングデータであるか否かを識別するよう構成される識別モジュールと、
前記識別モジュールが、前記複数のサンプリングデータ片の全部が前記ＳＲＳサンプリングデータであると識別すると、前記複数のサンプリングデータ片をバッファにバッファリングするよう構成されるバッファリングモジュールと、
第２周期中に、前記バッファから前記複数のサンプリングデータ片を読み出し、前記読み出した複数のサンプリングデータ片をベースバンド処理ユニットへ送信するよう構成される送信モジュールであって、前記第２周期の期間は前記第１周期の期間より長い、送信モジュールと、を含む。このように、ＳＲＳサンプリングデータを送信するために必要な帯域幅が削減でき、複数のＳＲＳサンプリングデータ片がバッファリングされ、ＳＲＳサンプリングデータを送信するための時間が延長される。それにより、ネットワーク配備要件を低減することを助ける。
【００１１】
本発明の実施形態の第２の態様の第１の可能な実装では、前記受信モジュールは、前記受信モジュールが前記アンテナアレイの各アンテナを用いて、前記第１周期中に、前記複数のサンプリングデータ片を受信する前に、前記ベースバンド処理ユニットにより送信され且つＳＲＳサンプリングデータを識別するために使用される識別情報を受信するよう更に構成され、前記識別情報は、受信時点及び時間長を含み、
前記識別モジュールは、
前記複数のサンプリングデータ片の各々の受信時間が前記受信時点より後であるか否か、及び各サンプリングデータ片の前記受信時間と前記受信時点との間の時間間隔が前記時間長より短いか否かを検出するよう構成される検出ユニットと、
前記検出ユニットが、各サンプリングデータ片の前記受信時間が前記受信時点より後であり、且つ各サンプリングデータ片の前記受信時間と前記受信時点との間の前記時間間隔が前記時間長より短いと決定すると、前記複数のサンプリングデータ片の全部が前記ＳＲＳサンプリングデータであると決定するよう構成される決定ユニットと、を含む。このように、受信した複数のサンプリングデータ片の全部がＳＲＳサンプリングデータであるか否かが、正確に識別され得る。
【００１２】
本発明の実施形態の第２の態様の第２の可能な実装では、前記ベースバンド処理ユニットによるＳＲＳサンプリングデータの処理レートは、前記受信モジュールによるＳＲＳサンプリングデータの受信レートより小さく、前記送信モジュールによる前記ベースバンド処理ユニットへの、前記バッファから読み出された前記ＳＲＳサンプリングデータの送信レートは、前記ベースバンド処理ユニットによるＳＲＳサンプリングデータの前記処理レート以下である。このように、ベースバンド処理ユニットが時間内に処理できないＳＲＳサンプリングデータをバッファリングする必要がないよう、したがって、ベースバンド処理ユニットがバッファリソースを節約できるように、無線リモートユニットによるＳＲＳサンプリングデータのベースバンド処理ユニットへの送信レートは、ベースバンド処理ユニットによるＳＲＳサンプリングデータの処理レート以下である。
【００１３】
本発明の実施形態の第２の態様、第２の態様の第１の可能な実装、又は第２の態様の第２の可能な実装を参照して、本発明の実施形態の第２の態様の第３の可能な実装では、前記バッファリングモジュールは、
複数のサンプリングデータグループを得るために、前記複数のサンプリングデータ片をグループ化するよう構成されるグループ化ユニットと、
前記サンプリングデータグループに対応する圧縮サンプリングデータを得るために、前記サンプリングデータグループに含まれるサンプリングデータを圧縮するよう構成される圧縮ユニットと、
前記サンプリングデータグループの各々に対応する前記圧縮サンプリングデータを前記バッファにバッファリングするよう構成されるバッファリングユニットと、を含み、
前記送信モジュールは、具体的に、
前記バッファから前記第２周期中に、前記サンプリングデータグループの各々に対応する前記圧縮サンプリングデータを読み出し、前記サンプリングデータグループの各々に対応する前記読み出した圧縮サンプリングデータを前記ベースバンド処理ユニットへ送信するよう構成される。このように、受信した複数のサンプリングデータ片はグループ化され圧縮され、ベースバンド処理ユニットにより処理されるＳＲＳサンプリングデータの量は削減でき、ベースバンド処理ユニットによりＳＲＳサンプリングデータを処理することの複雑性は有意に低減される。追加で、ＳＲＳサンプリングデータのサイズは、ＳＲＳサンプリングデータを圧縮することにより縮小でき、それにより、ＳＲＳサンプリングデータを送信するための帯域幅を削減するのを助ける。追加で、無線リモートユニットは、全部の圧縮サンプリングデータを処理のためにベースバンド処理ユニットへ送信し、それにより、サンプリングデータの損失を低減するのを助ける。
【００１４】
本発明の実施形態の第２の態様、第２の態様の第１の可能な実装、又は第２の態様の第２の可能な実装を参照して、本発明の実施形態の第２の態様の第４の可能な実装では、前記送信モジュールは、具体的に、
ダウンリンクタイムスロットで、第２周期中に前記バッファから、前記複数のサンプリングデータ片を読み出し、前記読み出した複数のサンプリングデータ片をベースバンド処理ユニットへ送信するよう構成される。このように、バッファ内のＳＲＳサンプリングデータは、ダウンリンクタイムスロットでベースバンド処理ユニットへ送信され、光ファイバの浪費が低減でき、さらに、ＳＲＳサンプリングデータを送信するための時間が延長でき、それにより、ＳＲＳサンプリングデータを送信するために必要な帯域幅を削減する。
【００１５】
本発明の実施形態の第３の態様は、基地局を開示する。基地局は、アンテナアレイ、ベースバンド処理ユニット、及び第２の態様、第２の態様の第１の可能な実装、第２の態様の第２の可能な実装、第２の態様の第３の可能な実装、又は第２の態様の第４の可能な実装による無線リモートユニットを含む。アンテナアレイは無線リモートユニットに接続され、無線リモートユニットはベースバンド処理ユニットに接続される。
【００１６】
本発明の実施形態では、アンテナアレイの各アンテナを用いて第１周期中に複数のサンプリングデータ片を受信した後に、無線リモートユニットは、複数のサンプリングデータ片の全部がサウンディング参照シンボルＳＲＳサンプリングデータであるか否かを識別する。複数のサンプリングデータ片の全部がＳＲＳサンプリングデータである場合、無線リモートユニットは、複数のサンプリングデータ片をバッファにバッファリングする。無線リモートユニットは、第１周期の期間より長い期間の第２周期中に、サンプリングデータを読み出し、読み出したサンプリングデータをベースバンド処理ユニットへ送信する。本発明の実施形態の実装によると、ＳＲＳサンプリングデータを送信するために必要な帯域幅が削減できるように、無線リモートユニットが複数のサンプリングデータ片をバッファリングした後に、ＳＲＳサンプリングデータを送信するための時間が延長され、それにより、ネットワーク配備要件を低減するのを助ける。
【図面の簡単な説明】
【００１７】
本発明の実施形態の技術的解決策をより明確に記載するために、実施形態を説明するのに必要な添付の図面を以下に簡単に説明する。明らかなことに、以下の説明中の添付の図面は、本発明のほんの一部の実施形態であり、これらの図面に従って当業者により創造的労力を有しないで他の図面も得られる。
【００１８】
【図１】本発明の一実施形態による適用シナリオの概略図である。
【図２】本発明の一実施形態によるＬＴＥシステムにおける且つＳＲＳを含むアップリンクサブフレームの概略図である。
【図３】本発明の一実施形態によるサウンディング参照シンボル送信方法の概略フローチャートである。
【図４】本発明の一実施形態によるサブフレームタイムスロット割り当ての概略構造図である。
【図５】本発明の一実施形態による無線リモートユニットの概略構造図である。
【図６】本発明の一実施形態による別の無線リモートユニットの概略構造図である。
【図７】本発明の一実施形態による別の無線リモートユニットの概略構造図である。
【図８】本発明の一実施形態による基地局の概略構造図である。
【発明を実施するための形態】
【００１９】
以下に、本発明の実施形態の添付の図面を参照して、本発明の実施形態における技術的解決策を明確且つ十分に説明する。明らかに、記載される実施形態は、本発明の実施形態の一部であり、全てではない。本発明の実施形態に基づき創造的労力を有しないで当業者により得られる全ての他の実施形態は、本発明の保護範囲に包含される。
【００２０】
本発明の実施形態は、ＳＲＳサンプリングデータを送信するために必要な帯域幅が削減でき、それによりネットワーク配備要件を低下させることを助けるように、サウンディング参照シンボル送信方法及び無線リモートユニットを開示する。本発明の実施形態のより良い理解のために、以下は、先ず本発明の実施形態の適用シナリオを記載する。
【００２１】
図１を参照すると、図１は、本発明の一実施形態による適用シナリオの概略図である。図１に示す適用シナリオでは、基地局は、アンテナアレイ、無線リモートユニット、及びベースバンド処理ユニットを含む。アンテナアレイと（スマートフォン、タブレットコンピュータ、パームトップコンピュータ、スーパーモバイルパーソナルコンピュータ、ノードブック、又はモバイルインターネット装置のような）複数のユーザ端末との間に無線接続が存在する。無線リモートユニットは、無線周波数フィーダを用いてアンテナアレイに接続される。通常、無線リモートユニットは、フィーダ損失を低減するために、アンテナ近くの塔の一番上に設置される。ベースバンド処理ユニットは、無線リモートユニットと離れた設備室に設置される（通常、無線リモートユニットから１ｋｍ以上離れた中央設備室に設置される）。ベースバンド処理ユニットは、光ファイバを用いて無線リモートユニットに接続される。図１に示す適用シナリオでは、複数のユーザ端末が、同時に、アンテナアレイへサウンディング参照シンボル（ｓｏｕｎｄｉｎｇ  ｒｅｆｅｒｅｎｃｅ  ｓｙｍｂｏｌ、ＳＲＳ）を送信する。ＳＲＳは、ロングタームエボリューション（ｌｏｎｇ  ｔｅｒｍ  ｅｖｏｌｕｔｉｏｎ、ＬＴＥ）システムにおける共通アップリンクサブフレームの最後のシンボルに配置される。代替で、ＳＲＳは、特別アップリンクサブフレームのアップリンクパイロットタイムスロットの最後のシンボル又は最後の２個のシンボルに配置されて良い。ＬＴＥシステムのアップリンクサブフレームは、１４個のシンボルを含み、各シンボルは複数のサンプリングデータ片を含む。したがって、各ＳＲＳは、複数のサンプリングデータ片を含む。図２に示すように、図２は、本発明の一実施形態によるＬＴＥシステムにおける且つＳＲＳを含むアップリンクサブフレームの概略図である。図１に示す適用シナリオでは、アップリンクサブフレームのシンボルのサンプリングデータを送信するとき、ユーザ端末は、シンボルのサンプリングデータ片を、アンテナアレイの各アンテナへ同時に送信する。例えば、図２に示すアップリンクサブフレームでは、第１シンボルの全てのサンプリングデータが送信されるまで、ユーザ端末は、第１シンボルの第１のサンプリングデータ片をアンテナアレイの各アンテナへ同時に送信し、次に、第１シンボルの第２のサンプリングデータ片をアンテナアレイの各アンテナへ同時に送信する。次に、ユーザ端末は、アップリンクサブフレームの全てのシンボルのサンプリングデータが送信されるまで、第２シンボルの第１のサンプリングデータ片をアンテナアレイの各アンテナへ同時に送信し、以下同様である。したがって、アンテナアレイが２５６個のアンテナを含む場合、アンテナアレイは、同じユーザ端末により送信された２５６個のサンプリングデータ片を同時に受信する。複数のサンプリングデータ片を同時に受信した後に、アンテナアレイは、無線周波数フィーダを用いて、複数のサンプリングデータ片を無線リモートユニットへ同時に送信する。複数のサンプリングデータ片を同時に受信した後に、無線リモートユニットは、光ファイバを用いて、複数のサンプリングデータ片をベースバンド処理ユニット���送信する。
【００２２】
図１に示す適用シナリオに基づき、図３を参照すると、図３は、本発明の一実施形態によるサウンディング参照シンボル送信方法の概略フローチャートである。図３に示すように、方法は以下のステップを含んで良い。
【００２３】
１０１。無線リモートユニットは、アンテナアレイの各アンテナを用いて、第１周期中に、複数のサンプリングデータ片を受信する。
【００２４】
本発明の本実施形態では、アンテナアレイは、大規模アンテナアレイであって良い。大規模アンテナアレイは、多数のアンテナを含むアンテナアレイであり、通常、大規模アンテナアレイは数百個のアンテナを含む。
【００２５】
本発明の本実施形態では、無線リモートユニットは、アンテナアレイの各アンテナを用いて、第１周期中に、複数のサンプリングデータ片を同時に受信する。例えば、第１周期の期間が０．５μｓ（マイクロ秒）である場合、無線リモートユニットは、０．５μｓの間に、複数のサンプリングデータ片を同時に受信する。複数のサンプリングデータ片は、複数のユーザ端末によりアンテナアレイへ同時に送信され、複数のサンプリングデータ片は、異なるアップリンクサブフレームのシンボルのサンプリングデータに属する。例えば、２個のユーザ端末：ユーザ端末Ａ及びユーザ端末Ｂが存在し、アンテナアレイが２５６個のアンテナを含む場合、ユーザ端末Ａは、サンプリングデータ片を２５６個のアンテナの各々へ同時に送信し、ユーザ端末Ａがサンプリングデータを送信すると、ユーザ端末Ｂもサンプリングデータ片を２５６個のアンテナの各々へ同時に送信する。したがって、無線リモートユニットは、アンテナアレイを用いて、第１周期中に、５１２個のサンプリングデータ片を同時に受信する。
【００２６】
１０２。無線リモートユニットは、複数のサンプリングデータ片の全部がサウンディング参照シンボルＳＲＳサンプリングデータであるか否かを識別する。
【００２７】
本発明の本実施形態では、複数のサンプリングデータ片を同時に受信した後に、無線リモートユニットは、複数のサンプリングデータ片の全部がＳＲＳサンプリングデータであるか否かを識別する。実際の適用では、無線リモートユニットにより同時に受信された複数のサンプリングデータ片の種類は同じである。つまり、複数のサンプリングデータ片の全部がＳＲＳサンプリングデータであり、又は複数のサンプリングデータ片の全部が非ＳＲＳサンプリングデータである。無線リモートユニットが、複数のサンプリングデータ片の全部がＳＲＳサンプリングデータであると識別した場合、ステップ１０３が実行される。あるいは、無線リモートユニットが複数のサンプリングデータ片のいずれも、ＳＲＳサンプリングデータではないと識別した場合（つまり、複数のサンプリングデータ片の全部が非ＳＲＳサンプリングデータである）、任意で、無線リモートユニットは、圧縮サンプリングデータを得るために複数のサンプリングデータ片を圧縮し、圧縮サンプリングデータをベースバンド処理ユニットへ送信する。無線リモートユニットは、複数の非ＳＲＳサンプリングデータ片を圧縮し、次に圧縮サンプリングデータをベースバンド処理ユニットへ送信する。これは、非ＳＲＳサンプリングデータを送信するために必要な帯域幅を効果的に削減できる。
【００２８】
任意的実装では、ステップ１０１を実行する前に、無線リモートユニットは、以下のステップを更に実行して良い。
（１１）無線リモートユニットは、ベースバンド処理ユニットにより送信され且つＳＲＳサンプリングデータを識別するために使用される識別情報を受信する。ここで、識別情報は受信時点と時間長とを含む。
【００２９】
相応して、無線リモートユニットが複数のサンプリングデータ片の全部がサウンディング参照シンボルＳＲＳサンプリングデータであるか否かを識別する特定の実装は、以下のステップを含んで良い。
【００３０】
（２１）無線リモートユニットは、複数のサンプリングデータ片の各々の受信時間が受信時点より後か否か、及び複数のサンプリングデータ片の各々の受信時間と受信時点との間の時間間隔が時間長より短いか否か、を検出する。
【００３１】
（２２）複数のサンプリングデータ片の各々の受信時間が受信時点より後であり、且つ複数のサンプリングデータ片の各々の受信時間と受信時点との間の時間間隔が時間長より短い場合、無線リモートユニットは、複数のサンプリングデータ片の全部がＳＲＳサンプリングデータであると決定する。
【００３２】
本実装では、例えば、時点が１０：００であり、且つ時間長が６６．７ミリ秒である場合、複数のサンプリングデータ片を同時に受信した後に、無線リモートユニットは、受信した複数のサンプリングデータ片の受信時間が１０：００より後であるか否かを検出し、そうである場合、無線リモートユニットは、続けて、受信時間と１０：００との間の時間間隔が６６．７ミリ秒より短いか否かを検出する。受信時間と１０：００との間の時間間隔が６６．７ミリ秒より短い場合、無線リモートユニットは、受信した複数のサンプリングデータ片の全部がＳＲＳサンプリングデータであると決定する。
【００３３】
本実装を実施することにより、無線リモートユニットは、受信した複数のサンプリングデータ片の全部がＳＲＳサンプリングデータであるか否かを正確に識別できる。
【００３４】
１０３。無線リモートユニットは、複数のサンプリングデータ片をバッファにバッファリングする。
【００３５】
本発明の本実施形態では、無線リモートユニットが、複数のサンプリングデータ片の全部がＳＲＳサンプリングデータであると識別した場合、無線リモートユニットは、複数のサンプリングデータ片の全部をバッファにバッファリングする。
【００３６】
１０４。無線リモートユニットは、第２周期中に複数のサンプリングデータ片をバッファから読み出し、読み出した複数のサンプリングデータ片をベースバンド処理ユニットへ送信する。
【００３７】
本発明の本実施形態では、無線リモートユニットが複数のサンプリングデータ片をバッファにバッファリングした後に、無線リモートユニットは、第２周期中にバッファからバッファリングされたサンプリングデータを読み出し、読み出したサンプリングデータをベースバンド処理ユニットへ送信する。第２周期の期間は、第１周期の期間より長い。
【００３８】
例えば、第１周期の期間が１μｓ（マイクロ秒）であり、且つ無線リモートユニットにより同時に受信された複数のサンプリングデータ片のデータ量が１０Ｍｂｉｔである場合、無線リモートユニットが複数のサンプリングデータ片をバッファリングしないとき、無線リモートユニットは、１０Ｍｂｉｔのサンプリングデータを１μｓ以内にベースバンド処理ユニットへ送信する必要がある。したがって、無線リモートユニットが複数のサンプリングデータ片をベースバンド処理ユニットへ一定速度で送信する場合、複数のサンプリングデータ片を送信するために必要なレートは、少なくとも１０Ｍｂｉｔｓ／μｓである。無線リモートユニットが複数のサンプリングデータ片をバッファリングするとき、無線リモートユニットは、第１周期の期間より長い期間の第２周期中に、複数のサンプリングデータ片をベースバンド処理ユニットへ送信して良い。したがって、第２周期の期間が２μｓである場合、無線リモートユニットは、複数のサンプリングデータ片をベースバンド処理ユニットへ、たったの５Ｍｂｉｔｓ／μｓのレートで送信できる。したがって、本発明では、複数のサンプリングデータ片の送信時間が延長され、したがってＳＲＳサンプリングデータを送信するために必要な帯域幅が削減できるように、受信したサンプリングデータ片がバッファリングされる。
【００３９】
実際の適用では、周期的ＳＲＳの送信周期は２ミリ秒、５ミリ秒、１０ミリ秒、２０ミリ秒、４０ミリ秒、８０ミリ秒、１６０ミリ秒、又は３２０ミリ秒であって良い。本発明の本実施形態では、無線リモートユニットにより受信された複数のサンプリングデータ片が周期的ＳＲＳサンプリングデータである場合、バッファ容量が十分でない状況を回避するため、したがって次周期中のＳＲＳサンプリングデータの送信が影響されないために、無線リモートユニットは、次周期のＳＲＳサンプリングデータを受信する前に、第２周期中にバッファリングされたＳＲＳサンプリングデータ片の全部をベースバンド処理ユニットへ送信する。
【００４０】
任意的実装では、無線リモートユニットが時分割ロングタームエボリューション（ｔｉｍｅ  ｄｉｖｉｓｉｏｎ  ｌｏｎｇ  ｔｅｒｍ  ｅｖｏｌｕｔｉｏｎ、ＴＤ−ＬＴＥ）システム又はアップリンクサブフレームが連続的に受信されない別のシステムで動作する場合、無線リモートユニットは、ダウンリンクタイムスロットで第２周期中にバッファリングされた複数のサンプリングデータ片を読み出し、読み出した複数のサンプリングデータ片をベースバンド処理ユニットへ送信する。
【００４１】
ＴＤ−ＬＴＥシステムでは、１つの無線フレームの長さは１０ミリ秒であり、各無線フレームは、長さが１ミリ秒のサブフレームを１０個含む。各共通サブフレームは、０．５ミリ秒のタイムスロットを２個含み、各特別サブフレームは３個の特別タイムスロットを含む。同じキャリア周波数上で、アップリンク方向及びダウンリンク方向は時間により区別される。つまり、１０ミリ秒の各周期中に、全部で１０個のサブフレームがアップリンク方向及びダウンリンク方向で利用可能であり、一部はアップリンクサブフレームであり、他のものはダウンリンクサブフレームである。アップリンクサブフレームはアップリンクタイムスロットの中でのみ送信され、ダウンリンクサブフレームはダウンリンクタイムスロットの中でのみ送信される。
【００４２】
本実装では、例えば、図４に示すように、ＳＲＳの周期が５ミリ秒であり、ＳＲＳが番号２のアップリンクサブフレームに含まれる場合、無線リモートユニットは、番号５のダウンリンクサブフレームに対応するダウンリンクタイムスロットの中で、ベースバンド処理ユニットへＳＲＳサンプリングデータを送信して良い。
【００４３】
実際には、無線リモートユニットはアンテナアレイを用いてダウンリンクタイムスロットの中でアップリンクサブフレームを受信せず、したがって、アップリンクサブフレームはダウンリンクタイムスロットの中でベースバンド処理ユニットへ送信されない。これは、アップリンク光ファイバリソースを浪費する。本実装では、光ファイバリソースの浪費を低減するように、バッファ以内のＳＲＳサンプリングデータは、ダウンリンクタイムスロットの中でもベースバンド処理ユニットへ送信される。追加で、ＳＲＳサンプリングデータを送信するために必要な時間が延長されるように、及びＳＲＳサンプリングデータを送信するために必要な帯域幅が削減されるように、ダウンリンクタイムスロットは第１周期の期間より遙かに長く、ＳＲＳサンプリングデータは、第１周期の期間より長い期間の第２周期中に、ダウンリンクタイムスロットの中で送信されて良い。
【００４４】
任意的実装では、ベースバンド処理ユニットによるＳＲＳサンプリングデータの処理レートは、無線リモートユニットによるＳＲＳサンプリングデータの受信レートより小さく、無線リモートユニットによるベースバンド処理ユニットへの、バッファから読み出されたＳＲＳサンプリングデータの送信レートは、ベースバンド処理ユニットによるＳＲＳサンプリングデータの処理レート以下である。
【００４５】
例えば、第１周期の期間が１μｓであり、且つ無線リモートユニットにより同時に受信された複数のサンプリングデータ片のデータ量が１０Ｍｂｉｔｓである場合、無線リモートユニットによるＳＲＳサンプリングデータの受信レートは１０Ｍｂｉｔｓ／μｓである。ベースバンド処理ユニットによるＳＲＳサンプリングデータの処理レートが１Ｍｂｉｔｓ／μｓである場合、無線リモートユニットによる読み出したＳＲＳサンプリングデータのベースバンド処理ユニットへの送信レートは、１Ｍｂｉｔｓ／μｓ以下である（つまり、第２周期の期間は１０μｓ以上である）。
【００４６】
実際の適用では、ベースバンド処理ユニットは、ＳＲＳサンプリングデータの限られた処理能力を有する。例えば、大規模アンテナアレイが２５６個のアンテナを含み、ベースバンド処理ユニットが同時に８個のアンテナだけにより受信されたＳＲＳサンプリングデータを処理できる場合、ベースバンド処理ユニットが、無線リモートユニットにより送信され且つ２５６個のアンテナにより受信されたＳＲＳサンプリングデータを同時に受信すると、ベースバンド処理ユニットは、２５６個のアンテナのうち２４８個のアンテナにより受信されたＳＲＳサンプリングデータを、ベースバンド処理ユニット内のバッファにバッファリングする。したがって、本実装によると、ベースバンド処理ユニットが冗長なＳＲＳサンプリングデータをバッファリングする必要がないよう、したがって、ベースバンド処理ユニットがバッファリソースを節約できるように、無線リモートユニットによるＳＲＳサンプリングデータのベースバンド処理ユニットへの送信レートは、ベースバンド処理ユニットによるＳＲＳサンプリングデータの処理レート以下である。
【００４７】
任意的実装では、無線リモートユニットが複数のサンプリングデータ片をバッファにバッファリングする特定の実装は、以下のステップを含んで良い。
【００４８】
（３１）無線リモートユニットは、複数のサンプリングデータグループを得るために、複数のサンプリングデータ片をグループ化する。
【００４９】
（３２）サンプリングデータグループの各々について、無線リモートユニットは、サンプリングデータグループに含まれるサンプリングデータを圧縮し、サンプリングデータグループに対応する圧縮サンプリングデータを得る。
【００５０】
（３３）無線リモートユニットは、サンプリングデータグループの各々に対応する圧縮サンプリングデータをバッファにバッファリングする。
【００５１】
相応して、無線リモートユニットが、第２周期中に複数のサンプリングデータ片をバッファから読み出し、読み出した複数のサンプリングデータ片をベースバンド処理ユニットへ送信する特定の実装は、以下のステップを含んで良い。
【００５２】
（４１）無線リモートユニットは、第２周期中に、バッファから、サンプリングデータグループの各々に対応する圧縮サンプリングデータを読み出し、サンプリングデータグループの各々に対応する読み出した圧縮サンプリングデータをベースバンド処理ユニットへ送信する。
【００５３】
本実装では、任意で、アンテナグループは、無線リモートユニットに対してプリセットされる。例えば、１００個のアンテナがある場合、アンテナグループは、１番目から５０番目のアンテナを含むグループと、５１番目から１００番目のアンテナを含むもう１つのグループと、を含んで良い。受信した複数のサンプリングデータ片をグループ化するとき、無線リモートユニットは、１番目から５０番目のアンテナにより受信されたサンプリングデータを１つのグループに含め、５１番目から１００番目のアンテナにより受信されたサンプリングデータを１つのグループに含め、全部で２個のサンプリングデータグループを得る。無線リモートユニットは、サンプリングデータグループの各々に含まれるサンプリングデータを別個に圧縮し、サンプリングデータグループの各々の中のサンプリングデータをサンプリングデータ片に圧縮する。例えば、無線リモートユニットは、１番目から５０番目のアンテナにより受信されたサンプリングデータをサンプリングデータ片に圧縮し、５１番目から１００番目のアンテナにより受信されたサンプリングデータを別のサンプリングデータ片に圧縮する。無線リモートユニットがサンプリングデータグループの中のサンプリングデータをサンプリングデータ片に圧縮する特定の実装は、次の通りであって良い：無線リモートユニットは、サンプリングデータグループ内の全てのサンプリングデータを加算し、加算により得られたデータは、サンプリングデータグループに対応する圧縮サンプリングデータである。
【００５４】
任意で、複数のサンプリングデータ片を圧縮するとき、無線リモートユニットは、複数のサンプリングデータ片を予め設定された数のサンプリングデータグループにランダムに分割して良く、無線リモートユニットは、サンプリングデータグループの各々に対応する圧縮サンプリングデータを得るために、サンプリングデータグループの各々の中のサンプリングデータを圧縮する。例えば、２５６個のサンプリングデータ片があり、サンプリングデータが６４個のサンプリングデータグループに分割される必要がある場合、無線リモートユニットは、４個のサンプリングデータ片を１つのサンプリングデータグループにランダムにグループ化し、６４個のサンプリングデータグループを得た後に、サンプリングデータグループの各々について、無線リモートユニットは、サンプリングデータグループの中の４個のサンプリングデータ片を、１個のサンプリングデータ片に圧縮する。
【００５５】
本実装では、サンプリングデータグループの各々に対応する圧縮サンプリングデータを得た後に、無線リモートユニットは、圧縮サンプリングデータをバッファにバッファリングする。無線リモートユニットは、バッファから全部の圧縮サンプリングデータを読み出し、読み出した圧縮サンプリングデータをベースバンド処理ユニットへ送信する。例えば、無線リモートユニットは、２５６個のサンプリングデータ片を６４個のサンプリングデータグループに分割し、６４個の圧縮サンプリングデータ片を得る。そして、無線リモートユニットは、６４個の圧縮サンプリングデータ片の全部をバッファにバッファリングし、第２周期中にバッファから６４個の圧縮サンプリングデータ片を読み出し、圧縮サンプリングデータをベースバンド処理ユニットへ送信する。
【００５６】
実際の適用では、基地局アンテナの数が増大するにつれ、ベースバンド処理ユニットによるＳＲＳサンプリングデータを処理する複雑性が非線形的に増大する。例えば、１００個のアンテナがある場合、ベースバンド処理ユニットは、１００個のアンテナにより受信されたＳＲＳサンプリングデータを処理する必要がある。また、２５６個のアンテナがある場合、ベースバンド処理ユニットは、２５６個のアンテナにより受信されたＳＲＳサンプリングデータを処理する必要がある。本実装では、ベースバンド処理ユニットにより処理されるＳＲＳサンプリングデータの量が削減できるように、受信した複数のサンプリングデータ片はグループ化され圧縮され（例えば、１００個のアンテナにより受信されたＳＲＳサンプリングデータが１０個のグループに分割され、１０個の圧縮されたＳＲＳサンプリングデータ片が最終的に得られ、これはベースバンド処理ユニットが１０個のアンテナのみに対応するＳＲＳサンプリングデータを処理する事と等価である）、そして、ベースバンド処理ユニットによりＳＲＳサンプリングデータを処理する複雑性が有意に低減される。追加で、ＳＲＳサンプリングデータのサイズは、ＳＲＳサンプリングデータを圧縮することにより縮小でき、それにより、ＳＲＳサンプリングデータを送信するための帯域幅を削減するのを助ける。追加で、無線リモートユニットは、全部の圧縮サンプリングデータを処理のためにベースバンド処理ユニットへ送信し、それにより、サンプリングデータの損失を低減するのを助ける。
【００５７】
図３に示す方法では、アンテナアレイの各アンテナを用いて第１周期中に複数のサンプリングデータ片を受信した後に、無線リモートユニットは、複数のサンプリングデータ片の全部がサウンディング参照シンボルＳＲＳサンプリングデータであるか否かを識別する。複数のサンプリングデータ片の全部がＳＲＳサンプリングデータである場合、無線リモートユニットは、複数のサンプリングデータ片をバッファにバッファリングする。無線リモートユニットは、第１周期の期間より長い期間の第２周期中に、サンプリングデータを読み出し、読み出したサンプリングデータをベースバンド処理ユニットへ送信する。本発明の本実施形態の実装によると、ＳＲＳサンプリングデータを送信するために必要な帯域幅が削減できるように、無線リモートユニットが複数のサンプリングデータ片をバッファリングした後に、ＳＲＳサンプリングデータを送信するための時間が延長され、それにより、ネットワーク配備要件を低減するのを助ける。
【００５８】
図５を参照すると、図５は、本発明の一実施形態による無線リモートユニットの概略構造図である。図５に示すように、無線リモートユニットは、受信モジュール５０１と、識別モジュール５０２と、バッファリングモジュール５０３と、送信モジュール５０４と、を含んで良い。
【００５９】
受信モジュール５０１は、アンテナアレイの各アンテナを用いて、第１周期中に、複数のサンプリングデータ片を受信するよう構成される。
【００６０】
識別モジュール５０２は、受信モジュール５０１により受信された複数のサンプリングデータ片の全部がサウンディング参照シンボルＳＲＳサンプリングデータであるか否かを識別するよう構成される。
【００６１】
バッファリングモジュール５０３は、識別モジュール５０２が複数のサンプリングデータ片の全部がＳＲＳサンプリングデータであると識別すると、複数のサンプリングデータ片をバッファにバッファリングするよう構成される。
【００６２】
送信モジュール５０４は、第２周期中にバッファから、バッファリングモジュール５０３によりバッファリングされた複数のサンプリングデータ片を読み出し、読み出した複数のサンプリングデータ片をベースバンド処理ユニットへ送信するよう構成され、ここで、第２周期の期間は第１周期の期間より長い。
【００６３】
任意的実装では、ベースバンド処理ユニットによるＳＲＳサンプリングデータの処理レートは、受信モジュール５０１によるＳＲＳサンプリングデータの受信レートより小さく、送信モジュール５０４によるベースバンド処理ユニットへの、バッファから読み出されたＳＲＳサンプリングデータの送信レートは、ベースバンド処理ユニットによるＳＲＳサンプリングデータの処理レート以下である。
【００６４】
任意的実装では、送信ユニット５０４は、具体的に、
ダウンリンクタイムスロットで、第１周期中にバッファから、バッファリングモジュール５０３によりバッファリングされた複数のサンプリングデータ片を読み出し、読み出した複数のサンプリングデータ片をベースバンド処理ユニットへ送信するよう構成される。
【００６５】
さらに図６を参照すると、図６は、本発明の一実施形態による別の無線リモートユニットの概略構造図である。図６に示す無線リモートユニットは、図５に示す無線リモートユニットを最適化することにより得られる。図５に示す無線リモートユニットと比べて、図６に示す無線リモートユニットは、図５に示す無線リモートユニットの全部のモジュールを含み、識別モジュール５０２は、検出ユニット５０２１及び決定ユニット５０２２を含んで良い。
【００６６】
受信モジュール５０１は、受信モジュール５０１が第１周期中にアンテナアレイの各アンテナを用いて複数のサンプリングデータ片を受信する前に、ベースバンド処理ユニットにより送信され且つＳＲＳサンプリングデータを識別するために使用される識別情報を受信するよう更に構成され、ここで、識別情報は、受信時点、及び時間長を含む。
【００６７】
検出ユニット５０２１は、受信モジュール５０１により受信された複数のサンプリングデータ片の各々の受信時間が、受信モジュール５０１により受信された受信時点より後であるか否か、及び各サンプリングデータ片の受信時間と受信モジュール５０１により受信された受信時点との間の時間間隔が受信モジュール５０１により受信された時間長より短いか否か、を検出するよう構成される。
【００６８】
決定ユニット５２０２は、検出ユニット５０２１が、各サンプリングデータ片の受信時間が受信モジュール５０１により受信された受信時点より後であり、且つ各サンプリングデータ片の受信時間と受信モジュール５０１により受信された受信時点との間の時間間隔が受信モジュール５０１により受信された時間長より短いと検出すると、複数のサンプリングデータ片の全部がＳＲＳサンプリングデータであると決定するよう構成される。
【００６９】
本発明の本実施形態では、決定ユニット５０２２が、複数のサンプリングデータ片の全部がＳＲＳサンプリングデータであると決定した後に、バッファリングモジュール５０３は、複数のサンプリングデータ片をバッファにバッファリングするようトリガされる。
【００７０】
さらに図７を参照すると、図７は、本発明の一実施形態による別の無線リモートユニットの概略構造図である。図７に示す無線リモートユニットは、図５に示す無線リモートユニットを最適化することにより得られる。図５に示す無線リモートユニットと比べて、図７に示す無線リモートユニットは、図５に示す無線リモートユニットの全部のモジュールを含み、バッファリングモジュール５０３は、グループ化ユニット５０３１、圧縮ユニット５０３２、及びバッファリングユニット５０３３を含んで良い。
【００７１】
グループ化ユニット５０３１は、複数のサンプリングデータグループを得るために、複数のサンプリングデータ片をグループ化するよう構成される。
【００７２】
本発明の本実施形態では、識別モジュール５０２が、複数のサンプリングデータ片の全部がＳＲＳサンプリングデータであると識別した後に、グループ化モジュール５０３１は、複数のサンプリングデータグループを得るために、複数のサンプリングデータ片をグループ化するようトリガされる。
【００７３】
圧縮ユニット５０３２は、グループ化ユニット５０３１により得られたサンプリングデータグループの各々について、サンプリングデータグループに含まれるサンプリングデータを圧縮し、サンプリングデータグループに対応する圧縮サンプリングデータを得るよう構成される。
【００７４】
バッファリングユニット５０３３は、圧縮ユニット５０３２により得られ且つサンプリングデータグループの各々に対応する圧縮サンプリングデータをバッファにバッファリングするよう構成される。
【００７５】
送信モジュール５０４は、具体的に、第２周期中に、バッファから、バッファリングユニット５０３３によりバッファリングされ且つサンプリングデータグループの各々に対応する圧縮サンプリングデータを読み出し、サンプリングデータグループの各々に対応する読み出した圧縮サンプリングデータをベースバンド処理ユニットへ送信するよう構成される。
【００７６】
図８を参照すると、図８は、本発明の一実施形態による基地局の概略構造図である。図８に示すように、基地局は、アンテナアレイ１、ベースバンド処理ユニット２、及び無線リモートユニット３を含む。アンテナアレイ１は、無線周波数フィーダ４を用いて無線リモートユニット３に接続され、無線リモートユニット３は、光ファイバ５を用いてベースバンド処理ユニット２に接続される。無線リモートユニット３は、プロセッサ３１、及びバス３３によりプロセッサ３１に接続されるメモリ３２を含んで良い。メモリ３２はバッファ３２１を含む。メモリ３２は、プログラムコードセットを格納する。プロセッサ３１は、以下の工程：
アンテナアレイ１の各アンテナを用いて、第１周期中に、複数のサンプリングデータ片を受信するステップと、
複数のサンプリングデータ片の全部がサウンディング参照シンボルＳＲＳサンプリングデータであるか否かを識別するステップと、
複数のサンプリングデータ片の全部がＳＲＳサンプリングデータである場合、複数のサンプリングデータ片をバッファ３２１にバッファリングするステップと、
第２周期中に、バッファ３２１から複数のサンプリングデータ片を読み出し、読み出した複数のサンプリングデータ片をベースバンド処理ユニット２へ送信するステップであって、第２周期の期間は第１周期の期間より長い、ステップ、を実行するために、メモリ３２に格納されたプログラムコードを呼び出すよう構成される。
【００７７】
任意的実装では、プロセッサ３１は、以下の工程：
ベースバンド処理ユニット２により送信され且つＳＲＳサンプリングデータを識別するために使用される識別情報を受信するステップであって、識別情報は受信時点と時間長とを含む、ステップ、を更に実行するために、メモリ３２に格納されたプログラムコードを呼び出すよう構成される。
【００７８】
プロセッサ３１が、複数のサンプリングデータ片の全部がサウンディング参照シンボルＳＲＳサンプリングデータであるか否かを識別する特定の方法は：
複数のサンプリングデータ片の各々の受信時間が受信時点より後であるか否か、及び各サンプリングデータ片の受信時間と受信時点との間の時間間隔が時間長より短いか否か、を検出するステップと、
各サンプリングデータ片の受信時間が受信時点より後であり、且つ各サンプリングデータ片の受信時間と受信時点との間の時間間隔が時間長より短い場合、複数のサンプリングデータ片がＳＲＳサンプリングデータであると決定するステップと、であって良い。
【００７９】
任意的実装では、ベースバンド処理ユニット２によるＳＲＳサンプリングデータの処理レートは、プロセッサ３１によるＳＲＳサンプリングデータの受信レートより小さく、プロセッサ３１によるベースバンド処理ユニット２への、バッファ３２１から読み出されたＳＲＳサンプリングデータの送信レートは、ベースバンド処理ユニット２によるＳＲＳサンプリングデータの処理レート以下である。
【００８０】
任意的実装では、プロセッサ３１が複数のサンプリングデータ片をバッファ３２１にバッファリングする特定の方法は：
複数のサンプリングデータグループを得るために、複数のサンプリングデータ片をグループ化するステップと、
サンプリングデータグループに対応する圧縮サンプリングデータを得るために、サンプリングデータグループの各々について、サンプリングデータグループに含まれるサンプリングデータを圧縮するステップと、
サンプリングデータグループの各々に対応する圧縮サンプリングデータをバッファ３２１にバッファリングするステップ、であって良い。
【００８１】
プロセッサ３１が、第２周期中に複数のサンプリングデータ片をバッファ３２１から読み出し、読み出した複数のサンプリングデータ片をベースバンド処理ユニット２へ送信する特定の方法は：
第２周期中にバッファ３２１から、サンプリングデータグループの各々に対応する圧縮サンプリングデータを読み出し、サンプリングデータグループの各々に対応する読み出した圧縮サンプリングデータをベースバンド処理ユニット２へ送信するステップ、であって良い。
【００８２】
任意的実装では、プロセッサ３１が、第２周期中に複数のサンプリングデータ片をバッファ３２１から読み出し、読み出した複数のサンプリングデータ片をベースバンド処理ユニット２へ送信する特定の方法は：
ダウンリンクタイムスロットで、第２周期中にバッファ３２１から、複数のサンプリングデータ片を読み出し、読み出した複数のサンプリングデータ片をベースバンド処理ユニット２へ送信するステップ、であって良い。
【００８３】
図５〜図８に記載された無線リモートユニットによると、ＳＲＳサンプリングデータを送信するための時間が延長されるように、無線リモートユニットは、受信したサンプリングデータを識別し、識別したＳＲＳサンプリングデータをバッファリングする。したがって、ＳＲＳサンプリングデータを送信するために必要な帯域幅が削減でき、それにより、ネットワーク配備要件を低減することを助ける。
【００８４】
留意すべきことに、前述の実施形態では、各実施形態の記載はそれぞれの焦点を有する。ある実施形態において詳細に記載されない部分については、他の実施形態における関連する記載を参照して良い。さらに、当業者は、明細書に記載の全ての実施形態は例示的な実施形態であり、関連する動作及びモジュールは必ずしも本発明に必須ではないことも理解すべきである。
【００８５】
本発明の実施形態における方法のステップの順序は調整されて良く、ステップは、実際の要件に従い結合され又は削除されても良い。
【００８６】
本発明の実施形態における無線リモートユニット内のモジュール又はユニットは、実際の要件に従い、結合され、分割され、又は削除されて良い。
【００８７】
本発明の実施形態のモジュールは、ＣＰＵ（Ｃｅｎｔｒａｌ  Ｐｒｏｃｅｓｓｉｎｇ  Ｕｎｉｔ、中央処理ユニット）又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ、特定用途向け集積回路）のような汎用集積回路により実行されて良い。
【００８８】
当業者は、実施形態の中の方法の手順のうちの全部又は一部が関連するハードウェアに指示するコンピュータプログラムにより実装されて良いことを理解できる。プログラムは、コンピュータ可読記憶媒体に格納されて良い。プログラムが実行すると、実施形態の中の方法の手順が実行される。前述の記憶媒体は、磁気ディスク、光ディスク、読み出し専用メモリ（Ｒｅａｄ−Ｏｎｌｙ  Ｍｅｍｏｒｙ、ＲＯＭ）又はランダムアクセスメモリ（Ｒａｎｄｏｍ  Ａｃｃｅｓｓ  Ｍｅｍｏｒｙ、ＲＡＭ）を含んで良い。
【００８９】
纏めると、上述の説明は、本発明の単なる例示的な実施形態であり、本発明の保護範囲を制限するものではない。本発明の精神及び原理から逸脱することなく行われる変更、等価置換、又は改良は、本発明の保護範囲に含まれるべきである。
【図１】
0006517449.tif 000002
【図２】
0006517449.tif 000003
【図３】
0006517449.tif 000004
【図４】
0006517449.tif 000005
【図５】
0006517449.tif 000006
【図６】
0006517449.tif 000007
【図７】
0006517449.tif 000008
【図８】
0006517449.tif 000009